【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
モバイルデバイスを動作させる方法であって、
１次サービングセル（ＰＣｅｌｌ）として指定される第１のサービングセルへの接続を確立することと、
２次サービングセル（ＳＣｅｌｌ）として指定される第２のサービングセルへの接続を確立することであって、前記ＳＣｅｌｌが前記ＰＣｅｌｌとは異なる複信モードを用いる、前記第２のサービングセルへの接続を確立することと、
ダウンリンクサブフレームにおいて、前記ＳＣｅｌｌに対するサブフレームスケジューリングメッセージを受信することと、
前記ＰＣｅｌｌの前記複信モードに基づいてスケジューリングメッセージ肯定応答を送るためにアップリンクサブフレームを選択することと、
を含み、
前記ＰＣｅｌｌとＳＣｅｌｌ複信モードとが周波数分割複信（ＦＤＤ）モードと時分割複信（ＴＤＤ）モードとから選択される、方法。
【請求項２】
請求項１に記載の方法であって、
前記１次サービングセルがＦＤＤモードで動作し、前記２次サービングセルがＴＤＤモードで動作する、方法。
【請求項３】
請求項２に記載の方法であって、
前記ＴＤＤ  ＳＣｅｌｌでダウンリンクアサイメント又はアップリンクグラントをスケジューリングするダウンリンク制御情報（ＤＣＩ）フォーマットが、ダウンリンクアサイメントインデックス（ＤＡＩ）フィールドに情報を含まない、方法。
【請求項４】
請求項１に記載の方法であって、
ＦＤＤモードで動作する第１のサービングセルでアップリンクグラントをスケジューリングするダウンリンク制御情報（ＤＣＩ）フォーマットが、ＴＤＤモードで動作する第２のサービングセルに対して必要とされるスケジューリングメッセージ肯定応答の累積数を示す情報をダウンリンクアサイメントインデックス（ＤＡＩ）フィールドに含む、方法。
【請求項５】
請求項１に記載の方法であって、
前記モバイルデバイスが半二重動作のみ可能である、方法。
【請求項６】
請求項５に記載の方法であって、
前記１次サービングセルがＴＤＤモードで動作し、前記２次サービングセルがＦＤＤモードで動作し、
前記方法が、
前記ＦＤＤ  ＳＣｅｌｌの物理ダウンリンク共有チャネル（ＰＤＳＣＨ）でのダウンリンクアサイメントに対応するハイブリッド自動リピート要求（ＨＡＲＱ）肯定応答に対して、前記ＴＤＤ  ＰＣｅｌｌの同じアップリンク／ダウンリンク構成を適用するように前記モバイルデバイスを構成することを更に含む、方法。
【請求項７】
請求項１に記載の方法であって、
前記モバイルデバイスがＦＤＤオンリーであり、ＴＤＤキャリアで動作され、
前記方法が、
前記ＴＤＤキャリアでダウンリンクアサイメントをスケジューリングするダウンリンク制御情報について監視するためサブフレームの限定されたセットを備えて前記モバイルデバイスを構成することを更に含む、方法。
【請求項８】
請求項７に記載の方法であって、
前記ＰＤＳＣＨでの検出されるＤＬアサイメントがサブフレームにおけるＯＦＤＭシンボルの最大数より少ない数のＯＦＤＭシンボルを含む、サブフレームのセットを前記モバイルデバイスに示すことを更に含む、方法。
【請求項９】
ユーザ機器デバイスであって、
１次サービングセル（ＰＣｅｌｌ）として指定され、周波数分割複信（ＦＤＤ）モードで動作する第１のサービングセルへの接続を確立し、２次サービングセル（ＳＣｅｌｌ）として指定され、時分割複信（ＴＤＤ）モードで動作する第２のサービングセルへの接続を確立するように構成される、プロセッサ回路と、
前記ＳＣｅｌｌに対するダウンリンクサブフレームスケジューリングメッセージを受信するように構成されるレシーバ回路と、
前記ＰＣｅｌｌの物理アップリンク制御チャネルと物理アップリンク共有チャネルとの一方で肯定応答メッセージを送信するように構成されるトランスミッタ回路と、
を含み、
前記肯定応答メッセージが、前記ＳＣｅｌｌに対して受信される前記ダウンリンクサブフレームスケジューリングメッセージに対応する、デバイス。
【請求項１０】
請求項９に記載のデバイスであって、
前記サブフレームスケジューリングメッセージがダウンリンクデータアサイメントを含み、
前記肯定応答メッセージが、前記ＴＤＤ  ＳＣｅｌｌで送信される物理ダウンリンク共有チャネル（ＰＤＳＣＨ）に対する正又は負のハイブリッド自動リピート要求肯定応答（ＨＡＲＱ−ＡＣＫ）を含み、
前記ＨＡＲＱ−ＡＣＫメッセージが、前記ＦＤＤ  ＰＣｅｌｌのＨＡＲＱ−ＡＣＫタイミングフォーマットに従う、デバイス。
【請求項１１】
請求項９に記載のデバイスであって、
前記レシーバ回路が、サブフレームｎにおいて、前記ＴＤＤ  ＳＣｅｌｌで前記物理ダウンリンク共有チャネル（ＰＤＳＣＨ）に対するダウンリンクアサイメントを検出するときに、前記トランスミッタ回路が、前記ＦＤＤ  ＰＣｅｌｌの前記ＰＵＣＣＨと、サブフレームｎ＋４におけるＵＬグラントとの一方で、ハイブリッド自動リピート要求の正又は負の肯定応答（ＨＡＲＱ−ＡＣＫ）を送信するように構成される、デバイス。
【請求項１２】
請求項９に記載のデバイスであって、
前記レシーバ回路が、前記ＦＤＤ  ＰＣｅｌｌでアップリンクグラントをスケジューリングするダウンリンク制御情報（ＤＣＩ）フォーマットを検出するときに、前記トランスミッタ回路が、前記ＤＣＩフォーマットのダウンリンクアサイメントインデックス（ＤＡＩ）フィールドに含まれる前記情報に従って、１つ又は複数の正又は負の肯定応答を送信するように構成される、デバイス。
【請求項１３】
ユーザ機器デバイスであって、
時分割複信（ＴＤＤ）モードで動作し、１次サービングセル（ＰＣｅｌｌ）として指定される第１のサービングセルへの接続を確立し、周波数分割複信（ＦＤＤ）モードで動作し、２次サービングセル（ＳＣｅｌｌ）として指定される第２のサービングセルへの接続を確立するように構成される、プロセッサ回路と、
前記ＳＣｅｌｌで、ダウンリンクサブフレームにおいて、物理ダウンリンク共有チャネル（ＰＤＳＣＨ）メッセージを受信するように構成される、レシーバ回路と、
選択されるアップリンクサブフレームにおいて、前記受信したＰＤＳＣＨメッセージに対応する肯定応答メッセージを送信するように構成される、トランスミッタ回路と、
を含む、デバイス。
【請求項１４】
請求項１３に記載のデバイスであって、
前記トランスミッタ回路が、前記ＰＣｅｌｌの前記ＰＵＣＣＨで肯定応答メッセージを送信するように構成される、デバイス。
【請求項１５】
請求項１３に記載のデバイスであって、
前記ダウンリンクサブフレームがサブフレームｎであり、前記選択されたアップリンクサブフレームがサブフレームｎ＋ｋであり、ここで、ｋ≧４であり、ｎ＋ｋが、前記ダウンリンクサブフレームに続く第１の有効アップリンクサブフレームである、デバイス。
【請求項１６】
請求項１３に記載のデバイスであって、
前記トランスミッタ回路が、前記ＰＣｅｌｌとＳＣｅｌｌとの両方で、同時物理アップリンク制御チャネル（ＰＵＣＣＨ）伝送を送信するように構成される、デバイス。
【請求項１７】
請求項１３に記載のデバイスであって、
前記トランスミッタ回路が、前記ＰＣｅｌｌ及びＳＣｅｌｌで、時分割多重物理アップリンク制御チャネル（ＰＵＣＣＨ）伝送を送信するように構成される、デバイス。
【請求項１８】
請求項１７に記載のデバイスであって、
前記ＦＤＤ  ＳＣｅｌｌでのアップリンクサブフレームが前記ＴＤＤ  ＰＣｅｌｌでのダウンリンクサブフレームに対応する場合のみ、前記トランスミッタ回路が、前記ＦＤＤ  ＳＣｅｌｌのＰＵＣＣＨで送信するように構成される、デバイス。
【請求項１９】
請求項１７に記載のデバイスであって、
前記サブフレームが前記ＴＤＤ  ＰＣｅｌｌでアップリンクサブフレームである場合に、前記トランスミッタ回路が、前記ＴＤＤ  ＰＣｅｌｌのＰＵＣＣＨで送信するように構成される、デバイス。